(57)【要約】【課題】記入エリアと送信エリアを一体化させることで、利用者に記入情報の送信アクションを意識させることなく、誤操作や手間を削減することができる電子ペン用帳票を提供する。【解決手段】処理システム１００ａが仕様する電子ペン用帳票３を構成する項目は、記入エリア及び送信エリアが一体化された一体化項目を有している。利用者が電子ペン１０により一体化項目に記入を行うと、電子ペン１０は、移動に伴って帳票３上のドットパターンを読み取り、利用者が記入した記入内容に関するストロークや座標に関するデータを取得する。これと同時に、電子ペン１０は、取得したストロークデータや座標データを記入情報として端末装置２５を介してサーバ５に送信する。このような一体化項目を帳票３上に設けることにより、利用者に送信アクションを意識させることなく、誤操作や手間を削減することが可能となる。【選択図】図１３
2007185788.tif 000002
【特許請求の範囲】
【請求項１】
インクペンユニット及び光学的にドットパターンを読み取る読取ユニットを備える電子ペンにより記入される複数の項目から構成される電子ペン用帳票であって、
前記項目は、前記項目に記入された記入内容を認識するためのドットパターンが印刷された記入エリアと、前記項目の記入内容に対応する記入情報を送信するためのドットパターンが印刷された送信エリアとが一体化された構成となっている一体化項目を有することを特徴とする電子ペン用帳票。
【請求項２】
前記項目は、前記一体化項目と、前記記入エリアのみから構成された記入項目とを有していることを特徴とする請求項１に記載の電子ペン用帳票。
【請求項３】
１枚の前記帳票には、１つの前記一体化項目が設けられていることを特徴とする請求項１又は２に記載の電子ペン用帳票。
【請求項４】
電子ペンにより認識可能なドットパターンが印刷された電子ペン用帳票に記入された情報を処理する処理装置において、
前記電子ペン用帳票は、前記電子ペンにより記入される複数の項目から構成されており、
前記項目は、前記項目に記入された記入内容を認識するためのドットパターンが印刷された記入エリアと、前記項目の記入内容に対応する記入情報を送信するためのドットパターンが印刷された送信エリアとが一体化された構成となっている一体化項目を有するものであって、
前記処理装置は、
前記一体化項目に記入が行われた際に、前記電子ペンから、前記帳票を構成する項目に記入された記入情報を取得する記入情報取得手段と、
前記記入情報に基づいて、所定のデータ処理を行う処理実行手段と、を備えることを特徴とする処理装置。
【請求項５】
前記項目は、前記一体化項目と、前記記入エリアのみから構成された記入項目とを有していることを特徴とする請求項４に記載の処理装置。
【請求項６】
１枚の前記帳票には、１つの前記一体化項目が設けられていることを特徴とする請求項４又は５に記載の処理装置。
【請求項７】
前記記入情報取得手段は、前記一体化項目に記入が行われる度に、前記電子ペンから記入情報を取得するものであって、
前記処理装置は、
前記記入情報を取得する間隔を算出することで、所定時間以上の空白時間を特定する空白時間特定手段と、
前記空白時間の直前に、前記記入情報取得手段が取得した記入情報に含まれるストロークから、１単位データの最終ストロークを特定する最終ストローク特定手段と、
前記最終ストロークに基づいて、前記記入情報に含まれるストロークを結合することで１単位データを特定する単位データ特定手段と、をさらに備え、
前記データ処理手段は、前記単位データ特定手段が特定した１単位データに対し、所定のデータ処理を行うことを特徴とする請求項４乃至６のいずれか一項に記載の処理装置。
【請求項８】
前記記入情報取得手段は、前記一体化項目に記入が行われる度に、前記電子ペンから記入情報を取得するものであって、
前記処理装置は、
前記項目を識別する項目識別情報と、前記項目に印刷されたドットパターン上の位置座標とが対応付けされた座標情報を取得する座標情報取得手段と、
前記記入情報及び前記座標情報に基づいて、ストロークが記入された項目を特定する項目特定手段と、
前記一体化項目以外に記入したストロークを含む記入情報の直前に、前記記入情報取得手段が取得した記入情報に含まれるストロークから、１単位データの最終ストロークを特定する最終ストローク特定手段と、
前記最終ストロークに基づいて、前記記入情報に含まれるストロークを結合することで１単位データを特定する単位データ特定手段と、をさらに備え、
前記データ処理手段は、前記単位データ特定手段が特定した１単位データに対し、所定のデータ処理を行うことを特徴とする請求項４乃至６のいずれか一項に記載の処理装置。
【請求項９】
前記帳票は、複数の一体化項目を有しており、
前記記入情報取得手段は、前記一体化項目に記入が行われる度に、前記電子ペンから記入情報を取得するものであって、
前記処理装置は、
前記項目を識別する項目識別情報と、前記項目に印刷されたドットパターン上の位置座標と、前記項目に記入されたデータの処理に関する処理情報とが対応付けされた座標情報を取得する座標情報取得手段と、
前記記入情報及び前記座標情報に基づいて、ストロークが記入された項目を特定する項目特定手段と、
項目特定手段が特定した項目の中の１つの一体化項目以外に記入したストロークを含む記入情報の直前に、前記記入情報取得手段が取得した記入情報に含まれるストロークから、１単位データの最終ストロークを特定する最終ストローク特定手段と、
前記座標情報に基づいて、前記最終ストロークが記入された項目に対応する処理情報を特定する処理情報特定手段と、
前記最終ストロークに基づいて、前記記入情報に含まれるストロークを結合することで１単位データを特定する単位データ特定手段と、をさらに備え、
前記データ処理手段は、前記単位データ特定手段が特定した１単位データに対し、前記処理情報特定手段が特定した処理情報に基づくデータ処理を行うことを特徴とする請求項４乃至６のいずれか一項に記載の処理装置。
【請求項１０】
前記帳票は、複数の一体化項目を有しており、
前記記入情報取得手段は、前記一体化項目に記入が行われる度に、前記電子ペンから記入情報を取得するものであって、
前記処理装置は、
前記項目を識別する項目識別情報と、前記項目に印刷されたドットパターン上の位置座標と、前記項目に記入されたストロークの処理に関する処理情報とが対応付けされた座標情報を取得する座標情報取得手段と、
前記記入情報を取得する間隔を算出することで、所定時間以上の空白時間を特定する空白時間特定手段と、
前記空白時間の直前に、前記記入情報取得手段が取得した記入情報に含まれるストロークから、１単位データの最終ストロークを特定する最終ストローク特定手段と、
前記座標情報に基づいて、前記最終ストロークが記入された項目に対応する処理情報を特定する処理情報特定手段と、
前記最終ストロークに基づいて、前記記入情報に含まれるストロークを結合することで１単位データを特定する単位データ特定手段と、をさらに備え、
前記データ処理手段は、前記単位データ特定手段が特定した１単位データに対し、前記処理情報特定手段が特定した処理情報に基づくデータ処理を行うことを特徴とする請求項４乃至６のいずれか一項に記載の処理装置。
【請求項１１】
電子ペンにより認識可能なドットパターンが印刷された電子ペン用帳票に記入された情報を処理するコンピュータにより実行されるプログラムであって、
前記電子ペン用帳票は、前記電子ペンにより記入される複数の項目から構成されており、
前記項目は、前記項目に記入された記入内容を認識するためのドットパターンが印刷された記入エリアと、前記項目の記入内容に対応する記入情報を送信するためのドットパターンが印刷された送信エリアとが一体化された構成となっている一体化項目を有するものであって、
前記プログラムは、
前記一体化項目に記入が行われた際に、前記電子ペンから、前記帳票を構成する項目に記入された記入情報を取得する記入情報取得手段、
前記記入情報に基づいて、所定のデータ処理を行う処理実行手段、として前記コンピュータを機能させることを特徴とするプログラム。
【発明の詳細な説明】
【技術分野】
【０００１】
本発明は、電子ペン用帳票に記入された情報を送信し、所定の処理を行うための技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報（「ストロークデータ」ともいう）が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献１）。
【０００３】
上記のようなシステムにおいて、利用者は電子ペンを使用して所定の書類を作成し、記入内容に対応する記入情報を、ネットワークを通じて当該電子ペン近くの端末装置を介して所定のサーバに送信することができる。この場合、所定のサーバなどでは、受信した記入情報に基づいて様々な処理を行うことができる。
【０００４】
しかし、従来の専用紙は、電子ペンによって記入される記入エリアと、電子ペンに記憶された記入情報を送信する送信エリアが別々にデザインされていた。つまり、利用者は、記入情報を送信するため、専用紙上において本来記入する必要のない送信エリアにわざわざ記入を行わなければならなかった。そのため、記入エリア及び送信エリアの双方に記入を行うといったルールを利用者に徹底する必要があり、運用者の負荷が大きくなっていた。また、送信エリアへの記入漏れといったトラブルも発生していた。
【０００５】
【特許文献１】特開２００４−１５３６１２号公報
【発明の開示】
【発明が解決しようとする課題】
【０００６】
本発明は、以上の点に鑑みてなされたものであり、記入エリアと送信エリアを一体化させることで、利用者に記入情報の送信アクションを意識させることなく、誤操作や手間を削減することができる電子ペン用帳票を提供することを課題とする。また、本発明は、一体化した記入エリア及び送信エリアに複数ストロークが記入された場合であっても、適切に１単位データを特定し、所定の処理を行うことができる処理システムを提供することを課題とする。
【課題を解決するための手段】
【０００７】
本発明の１つの観点では、インクペンユニット及び光学的にドットパターンを読み取る読取ユニットを備える電子ペンにより記入される複数の項目から構成される電子ペン用帳票であって、前記項目は、前記項目に記入された記入内容を認識するためのドットパターンが印刷された記入エリアと、前記項目の記入内容に対応する記入情報を送信するためのドットパターンが印刷された送信エリアとが一体化された構成となっている一体化項目を有する。
【０００８】
上記のように構成された電子ペン用帳票によれば、当該電子ペン用帳票を構成する項目は、一体化項目を有している。一体化項目とは、記入エリア及び送信エリアが一体となって構成された項目である。記入エリアとは、記入エリアとは、電子ペンによる記入内容をそのまま情報として取り扱うエリアである。一方、送信エリアとは、機能エレメントであり、利用者が電子ペンでチェックした際に、予め定義されている送信アクションを実行するエリアである。
【０００９】
具体的に、利用者が電子ペンのインクペンユニットにより一体化項目に記入を行うと、電子ペンは電子ペンの移動に伴って帳票上のドットパターンを読み取り、利用者が記入した記入内容に関するストロークや座標に関するデータを取得する。これと同時に、電子ペンは、取得したストロークや座標に関するデータを記入情報として端末装置等に送信する。つまり、このように、１つの項目内において記入エリアと送信エリアを一体化させることで、利用者に送信アクションを意識させることなく、誤操作や手間を削減することが可能となる。
【００１０】
なお、ストロークとは、１回の動作で記入された軌跡、即ち一筆で記入された軌跡のことである。よって、ストロークに関するデータとは、利用者が電子ペンを使用して帳票を構成する各項目に記入したストロークデータのことである。一方、座標に関するデータとは、利用者が電子ペンを使用して記入した軌跡に関するドットパターン上の位置座標を示す座標データである。
【００１１】
上記電子ペン用帳票の一態様では、前記項目は、前記一体化項目と、前記記入エリアのみから構成された記入項目とを有している。また、上記電子ペン用帳票の他の一態様では、１枚の前記帳票には、１つの前記一体化項目が設けられている。これによれば、電子ペンは、記入エリアのみから構成された記入項目への記入内容を一時的に保存した後、記入エリア及び送信エリアが一体化された一体化項目への記入がなされたタイミングで、一時的に保存された記入内容を記入情報として送信する。さらに、１枚の帳票上に１つの一体化項目が設けられていることで、一定の繋がりのある記入内容を１つの記入情報として送信することができる。
【００１２】
本発明の別の観点では、電子ペンにより認識可能なドットパターンが印刷された電子ペン用帳票に記入された情報を処理する装置において、前記電子ペン用帳票は、前記電子ペンにより記入される複数の項目から構成されており、前記項目は、前記項目に記入された記入内容を認識するためのドットパターンが印刷された記入エリアと、前記項目の記入内容に対応する記入情報を送信するためのドットパターンが印刷された送信エリアとが一体化された構成となっている一体化項目を有するものであって、前記処理装置は、前記一体化項目に記入が行われた際に、前記電子ペンから、前記帳票を構成する項目に記入された記入情報を取得する記入情報取得手段と、前記記入情報に基づいて、所定のデータ処理を行う処理実行手段と、を備える。
【００１３】
上記のように構成された処理装置において、電子ペン用帳票を構成する項目は、一体化項目を有している。一体化項目は、記入エリア及び送信エリアが一体化された構成となっている。ここで、記入エリアとは、電子ペンによる記入内容をそのまま情報として取り扱うエリアである。一方、送信エリアとは、機能エレメントであり、利用者が電子ペンでチェックした際に、予め定義されている送信アクションを実行するエリアである。
【００１４】
利用者が電子ペンのインクペンユニットにより一体化項目に記入を行うと、電子ペンは電子ペンの移動に伴って帳票上のドットパターンを読み取り、利用者が記入した記入内容に関するストロークや座標に関するデータを取得する。これと同時に、電子ペン１０は、取得したストロークや座標に関するデータを記入情報として処理装置に送信する。処理装置は、電子ペンから取得した記入情報に基づいて所定のデータ処理を行う。このように、１つの項目内において記入エリア及び送信エリアを一体化させることで、利用者に送信アクションを意識させることなく、誤操作や手間を削減することが可能となる。
【００１５】
上記処理装置の一態様では、前記項目は、前記一体化項目と、前記記入エリアのみから構成された記入項目とを有している。また、上記処理装置の他の一態様では、１枚の前記帳票には、１つの前記一体化項目が設けられている。これによれば、電子ペンは、記入エリアのみから構成された記入項目への記入内容を一時的に保存した後、記入エリア及び送信エリアが一体化された一体化項目への記入がなされたタイミングで、一時的に保存された記入内容を記入情報として送信する。さらに、１枚の帳票上に１つの一体化項目が設けられていることで、一定の繋がりのある記入内容を１つの記入情報として送信することができる。
【００１６】
上記処理装置の他の一態様では、前記記入情報取得手段は、前記一体化項目に記入が行われる度に、前記電子ペンから記入情報を取得するものであって、前記処理装置は、前記記入情報を取得する間隔を算出することで、所定時間以上の空白時間を特定する空白時間特定手段と、前記空白時間の直前に、前記記入情報取得手段が取得した記入情報に含まれるストロークから、１単位データの最終ストロークを特定する最終ストローク特定手段と、前記最終ストロークに基づいて、前記記入情報に含まれるストロークを結合することで１単位データを特定する単位データ特定手段と、をさらに備え、前記データ処理手段は、前記単位データ特定手段が特定した１単位データに対し、所定のデータ処理を行う。
【００１７】
上記のように構成された処理装置は、一体化項目に記入が行われる度に、電子ペンから記入情報を取得する。換言すると、一体化項目に複数のストロークが記入されると、記入したストロークの数だけ、電子ペン１０は記入情報を処理装置に送信する。よって、一定の繋がりを持った１つの単位のデータ（１単位データ）が分割されてバラバラに送信される。そこで、処理装置は、記入情報を取得する間隔を算出し、所定時間以上の空白時間を特定する。所定時間以上の空白時間は、任意に設定することが可能である。さらに、処理装置は、特定した空白時間の直前に取得した記入情報に含まれるストロークを、１単位データの最終ストロークであると特定する。そして、処理装置は、最終ストロークより前に取得した記入情報に含まれるストロークを結合することで、１単位データを作成し、特定する。具体的に、処理装置は、最終ストロークより前に取得した記入情報に含まれる全てのストロークデータを結合することで、１単位データを作成し、特定する。なお、処理装置は、１単位データと特定する前の記入情報を一時的に保存しているものとする。そのため、処理装置は、最終ストロークより前に取得し、一時的に保存している記入情報に含まれる全てのストロークを容易に結合することができる。このように、処理装置は、特定した１単位データに対し所定のデータ処理を行うことで、複数単位のデータを混在させることなく適切な処理を行うことができる。
【００１８】
上記処理装置の他の一態様では、前記記入情報取得手段は、前記一体化項目に記入が行われる度に、前記電子ペンから記入情報を取得するものであって、前記処理装置は、前記項目を識別する項目識別情報と、前記項目に印刷されたドットパターン上の位置座標とが対応付けされた座標情報を取得する座標情報取得手段と、前記記入情報及び前記座標情報に基づいて、ストロークが記入された項目を特定する項目特定手段と、前記一体化項目以外に記入したストロークを含む記入情報の直前に、前記記入情報取得手段が取得した記入情報に含まれるストロークから、１単位データの最終ストロークを特定する最終ストローク特定手段と、前記最終ストロークに基づいて、前記記入情報に含まれるストロークを結合することで１単位データを特定する単位データ特定手段と、をさらに備え、前記データ処理手段は、前記単位データ特定手段が特定した１単位データに対し、所定のデータ処理を行う。
【００１９】
上記のように構成された処理装置は、一体化項目に記入が行われる度に、電子ペンから記入情報を取得する。よって、一定の繋がりを持った１単位データが分割されてバラバラに送信される。そこで、処理装置は、記入情報に基づいて座標情報を参照することにより、一体化項目以外に記入したストロークを含む記入情報を特定する。そして、処理装置は、一体化項目以外に記入したストロークを含む記入情報の直前に取得した記入情報に含まれるストロークを、１単位データの最終ストロークであると特定する。そして、処理装置は、最終ストロークより前に取得した記入情報に含まれるストロークを結合することで、１単位データを作成し、特定する。処理装置は、特定した１単位データに対し所定のデータ処理を行うことで、複数単位のデータを混在させることなく適切な処理を行うことができる。
【００２０】
上記処理装置の他の一態様では、前記帳票は、複数の一体化項目を有しており、前記記入情報取得手段は、前記一体化項目に記入が行われる度に、前記電子ペンから記入情報を取得するものであって、前記処理装置は、前記項目を識別する項目識別情報と、前記項目に印刷されたドットパターン上の位置座標と、前記項目に記入されたデータの処理に関する処理情報とが対応付けされた座標情報を取得する座標情報取得手段と、前記記入情報及び前記座標情報に基づいて、ストロークが記入された項目を特定する項目特定手段と、項目特定手段が特定した項目の中の１つの一体化項目以外に記入したストロークを含む記入情報の直前に、前記記入情報取得手段が取得した記入情報に含まれるストロークから、１単位データの最終ストロークを特定する最終ストローク特定手段と、前記座標情報に基づいて、前記最終ストロークが記入された項目に対応する処理情報を特定する処理情報特定手段と、前記最終ストロークに基づいて、前記記入情報に含まれるストロークを結合することで１単位データを特定する単位データ特定手段と、をさらに備え、前記データ処理手段は、前記単位データ特定手段が特定した１単位データに対し、前記処理情報特定手段が特定した処理情報に基づくデータ処理を行うことで、複数単位のデータを混在させることなく適切な処理を行うことができる。
【００２１】
上記のように構成された処理装置は、予め座標情報を取得する。この座標情報を参照することにより、処理装置は、記入情報に含まれる各ストロークが帳票上のいずれの項目に記入されたかを容易に特定することができる。そして、処理装置は、特定した項目の中の１つの一体化項目に注目し、当該一体化項目以外に記入したストロークを含む記入情報を特定する。さらに、処理装置は、当該一体化項目以外に記入したストロークを含む記入情報の直前に取得された記入情報に含まれるストロークを、１単位データの最終ストロークであると特定する。また、処理装置は、座標情報を参照することで、特定した最終ストロークが記入された項目に対応する処理情報を特定する。さらに、処理装置は、最終ストロークより前に取得した記入情報に含まれるストロークを結合することで、１単位データを作成し、特定する。そして、処理装置は、特定した１単位データに対し、特定した処理情報に基づくデータ処理を行う。これによれば、ストロークが記入された項目に応じて、１単位データ毎に様々なデータ処理を行うことができる。
【００２２】
上記処理装置のさらに他の一態様では、前記帳票は、複数の一体化項目を有しており、前記記入情報取得手段は、前記一体化項目に記入が行われる度に、前記電子ペンから記入情報を取得するものであって、前記処理装置は、前記項目を識別する項目識別情報と、前記項目に印刷されたドットパターン上の位置座標と、前記項目に記入されたストロークの処理に関する処理情報とが対応付けされた座標情報を取得する座標情報取得手段と、前記記入情報を取得する間隔を算出することで、所定時間以上の空白時間を特定する空白時間特定手段と、前記空白時間の直前に、前記記入情報取得手段が取得した記入情報に含まれるストロークから、１単位データの最終ストロークを特定する最終ストローク特定手段と、前記座標情報に基づいて、前記最終ストロークが記入された項目に対応する処理情報を特定する処理情報特定手段と、前記最終ストロークに基づいて、前記記入情報に含まれるストロークを結合することで１単位データを特定する単位データ特定手段と、をさらに備え、前記データ処理手段は、前記単位データ特定手段が特定した１単位データに対し、前記処理情報特定手段が特定した処理情報に基づくデータ処理を行う。
【００２３】
上記のように構成された処理装置は、記入情報を取得する間隔を算出することで、所定時間以上の空白時間を特定する。さらに、処理装置は、特定した空白時間の直前に取得された記入情報に含まれるストロークを、１単位データの最終ストロークであると特定する。また、処理装置は、座標情報を参照することで、特定した最終ストロークが記入された項目に対応する処理情報を特定する。さらに、処理装置は、最終ストロークより前に取得した記入情報に含まれるストロークを結合することで、１単位データを作成し、特定する。そして、処理投資は、特定した１単位データに対し、特定した処理情報に基づくデータ処理を行う。これによれば、ストロークが記入された項目に応じて、１単位データ毎に様々なデータ処理を行うことができる。
【００２４】
本発明のさらに別の観点では、電子ペンにより認識可能なドットパターンが印刷された電子ペン用帳票に記入された情報を処理するコンピュータにより実行されるプログラムであって、前記電子ペン用帳票は、前記電子ペンにより記入される複数の項目から構成されており、前記項目は、前記項目に記入された記入内容を認識するためのドットパターンが印刷された記入エリアと、前記項目の記入内容に対応する記入情報を送信するためのドットパターンが印刷された送信エリアとが一体化された構成となっている一体化項目を有するものであって、前記プログラムは、前記一体化項目に記入が行われた際に、前記電子ペンから、前記帳票を構成する項目に記入された記入情報を取得する記入情報取得手段、前記記入情報に基づいて、所定のデータ処理を行う処理実行手段、として前記コンピュータを機能させる。
【００２５】
上記プログラムをコンピュータにより実行することにより、上述の処理装置を実現することができる。また、上述の処理装置の各態様も同様に実現することができる。
【発明の効果】
【００２６】
本発明は、記入エリアと送信エリアを一体化させることで、利用者に記入情報の送信アクションを意識させることなく、誤操作や手間を削減することができる電子ペン用帳票を提供することを可能とする。
【発明を実施するための最良の形態】
【００２７】
以下、図面を参照して本発明の好適な実施の形態について説明する。まず、本発明のシステムにおいて入力デバイスとして使用される電子ペンの概要について説明する。
【００２８】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２９】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００３０】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００３１】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００３２】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００３３】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００３４】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００３５】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００３６】
バッテリー１４は電子ペン１０内の各要素に電源供給するためのものであり、例えば電子ペンのキャップ（図示せず）により電子ペン１０自体の電源のオン／オフを行うことができる。
【００３７】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３８】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００３９】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００４０】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００４１】
次に、電子ペンにより利用者が記述した内容のＸ／Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００４２】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００４３】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００４４】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００４５】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００４６】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００４７】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００４８】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００４９】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００５０】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００５１】
なお、本明細書においては、「印刷」の語は、通常の印刷のみならず、プリンタによるプリントも含む概念とする。
【００５２】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。
【００５３】
なお、上記の例では端末装置２５、問い合わせサーバ２６及びサービスサーバ２７が別個に構成されているが、これらの幾つか又は全てを１つの装置として構成することも可能である。本実施形態において後述するサーバは、問い合わせサーバ２６及びサービスサーバ２７を兼ねていることとしている。また、本実施形態では、記入情報には、ストロークデータ、時間情報及びペンＩＤが含まれているものとする。
【００５４】
[処理システム]
次に、本発明の処理システムについて説明する。図７に処理システム１００の概略構成を示す。図７に示す処理システム１００は、電子ペン１０により電子ペン用帳票（以下、「帳票」と呼ぶ。）３に記入された情報を取得し、所定の処理を行うシステムである。
【００５５】
図７に示すように、処理システム１００は、端末装置２５及びサーバ５がネットワーク２を通じて接続されることにより構成される。ここで、ネットワーク２の１つの好適な例はインターネットである。また、端末装置２５とは、利用者が使用するパーソナルコンピュータ（以下、「ＰＣ」と呼ぶ。）や携帯電話といったネットワーク２を介してデータの授受が可能な端末である。電子ペン１０により帳票３に記入された記入内容は、記入情報として端末装置２５を介し、サーバ５へ送信される。サーバ５は、取得した記入情報に基づいて、所定の処理を行う。
【００５６】
ここで、図８を参照し、帳票への記入内容が記入情報としてサーバ５へ送信されるまでの従来の過程を説明する。図８は、従来の帳票の例である。
【００５７】
従来の帳票は、図示のように、電子ペン１０を使用して名前、住所、自署等が記入される記入項目と、上述のような送信ボックス３９とを有している。記入項目は、当該記入項目に記入された記入内容を認識するためのドットパターンが印刷された記入エリアから構成されている。記入エリアは、電子ペン１０による記入内容をそのまま情報として取り扱うエリアである。一方、送信ボックス３９は、記入項目の記入内容に対応する記入情報を送信するためのドットパターンが印刷された送信エリアから構成されている。送信エリアとは、機能エレメントであり、利用者が電子ペン１０でチェックした際に、予め定義されている送信アクションを実行するエリアである。つまり、従来の帳票では、電子ペン１０で記入項目に記入をした後、送信ボックス３９にチェックをすることで初めて、記入内容が記入情報としてサーバ５へ送信されていた。
【００５８】
このように、従来の帳票は、電子ペン１０によって記入される記入エリアと、電子ペンに記憶された記入情報を送信する送信エリアが別々にデザインされていた。そのため、利用者は、記入情報を送信するため、帳票上において本来記入する必要のない送信エリアにわざわざ記入を行わなければならなかった。換言すると、記入エリア及び送信エリアの双方に記入を行うといったルールを利用者に徹底する必要があり、システム運用者の負荷が大きくなっていた。また、送信エリアへの記入漏れといったトラブルも発生していた。
【００５９】
上述のような従来の問題を解消するため、記入エリアと送信エリアを一体化させ、兼用にする方法が考えられる。ここで、図９を参照し、記入エリアと送信エリアを一体化させた場合における、記入情報送信の過程を説明する。図９（ａ）は、本発明で使用する帳票３の例である。
【００６０】
本発明で使用する帳票３は、図示のように、名前項目や住所項目のような記入項目と、自署項目のような記入項目兼送信ボックスの一体化項目とを有している。記入項目は、上述と同様に、記入エリアのみから構成される項目である。一方、一体化項目は、記入エリアと送信エリアが一体化された構成となっている項目である。つまり、一体化項目に記入がなされると、電子ペン１０は、当該一体化項目に記入された内容を取得すると共に、それまでに電子ペン１０に記憶された記入内容と併せて記入情報としてサーバ５へ送信する。
【００６１】
なお、本実施形態では、自署項目が一体化項目となっているが、本発明はこれに限定されるものではなく、帳票３を構成するいずれの項目が一体化項目であってもよい。ただし、一体化項目に記入をすると送信アクションが発生するため、帳票３において最後に記入する項目１つにすることが望ましい。
【００６２】
このように、本発明で使用する帳票３は、記入エリアと送信エリアが一体化されてデザインされている。そのため、従来の問題を解消し、利用者やシステム運用者の手間を大幅に削減することが可能となる。しかし、記入エリアと送信エリアを一体化することで、一体化項目に複数のストロークが記入された場合、図９（ｂ）に示すように、利用者本人の署名（自署）であっても各ストロークが分割されバラバラの記入情報として送信されるという新たな問題が発生する。ここで、ストロークとは、１回の動作で記入された軌跡、即ち一筆で記入された軌跡のことである。
【００６３】
具体的に、自署項目に記入した１ストローク目では、電子ペン１０内にまだ記入項目に対する記入情報が記憶されているため、当該電子ペン１０により、氏名項目への記入内容（以下、「氏名項目記入内容」と呼ぶ。）、住所項目への記入内容（以下、「住所項目記入内容」と呼ぶ。）及び自署項目への記入内容（以下、「自署項目記入内容」と呼ぶ。）に対応する記入情報が１回目送信内容としてサーバ５へ送信される。このとき、自署項目記入内容としては、「川上」という自署の１ストローク目のみが含まれている。さらに、自署項目に記入した２ストローク目乃至６ストローク目では、図示のように、自署項目記入内容のみがそれぞれ送信される。つまり、１枚の帳票３に記入した記入内容に対応する記入情報であっても、図９（ｂ）に示すように、バラバラの送信内容としてサーバ５へ送信される。
【００６４】
そのため、サーバ５は、自署項目への記入により送信される複数の送信内容を結合することにより、１単位データの作成する処理を行う。１単位データとは、一定の繋がりを持つデータの集合体であり、本実施形態では、１枚の帳票３に記入された記入内容に対する記入情報であるものとする。サーバ５は、図１０に示すように、１回目送信内容乃至５回目送信内容に含まれるストロークを一時的に保存する。換言すると、サーバ５は、１単位データの最終ストロークが含まれない送信内容を全て一時的に保存する。そして、サーバ５は、１単位の最終ストロークが含まれた送信内容を取得すると、一時的に保存していた送信内容も含め１回目送信内容乃至６回目送信内容に含まれる全てのストロークを結合し、１単位データを作成する。送信内容とは、具体的には、電子ペン１０から取得する記入情報である。よって、換言すると、サーバ５は、一時的に保存していた記入情報も含め全ての記入情報に含まれるストロークを結合し、１単位データを作成する。
【００６５】
ここで、図１１及び図１２を参照して、１単位データの基準となる最終ストロークを特定する方法について説明する。図１１は、空白時間に基づいて最終ストロークを特定する方法を説明する図である。一方、図１２は、別単位データに基づいて最終ストロークを特定する方法を説明する図である。
【００６６】
まず、図１１を参照し、空白時間に基づいて最終ストロークを特定する方法について詳しく説明する。なお、帳票３は、同一のドットパターンが印刷され、同一のデザインが施された複数枚の帳票から構成されているものとする。
【００６７】
１人目の利用者（川上）は、図１１（ａ）左側に示すように、電子ペン１０を使用して、帳票３の１枚目に名前、住所及び自署を記入する。そして、２人目の利用者（田中）は、図１１（ａ）右側に示すように、電子ペン１０を使用して、帳票３の２枚目に名前、住所及び自署を記入する。この場合、サーバ５は、一体化項目である自署項目に記入が行われたタイミングで複数の記入情報を取得する。図１１（ｂ）は、２人の利用者による記入で送信される記入情報を模式的に示す図である。
【００６８】
具体的に、サーバ５は、まず１人目の利用者（川上）が名前項目、住所項目及び自署項目に記入した内容を最初の記入情報として取得する。このとき、自署項目記入内容としては、自署項目に記入された１ストローク目のストロークのみが含まれる。さらに、サーバ５は、１人目の利用者（川上）が自署項目に記入した内容をストローク毎に複数取得する。このとき、自署項目記入内容としては、自署項目に記入された１ストローク目乃至６ストローク目のストロークのみがそれぞれ含まれている。続いて、サーバ５は、２人目の利用者（田中）が名前項目、住所項目及び自署項目に記入した内容を取得する。そして、サーバ５は、２人目の利用者（田中）が自署項目に記入した内容に対応する記入情報を複数取得する。つまり、サーバ５は、複数の記入情報を続けて取得する。
【００６９】
ここで、本発明では、所定時間以上の空白時間に注目する。１人目の利用者（川上）が帳票３の１枚目の記入を完了してから、２人目の利用者（田中）が帳票３の２枚目に記入をするまでには、原則として所定時間以上の空白時間が存在するはずだからである。ここで、所定時間以上の空白時間とは、秒単位であっても分単位であってもよい。即ち、所定時間以上の空白時間は、帳票３を構成する項目等に基づいて、システム運用者等が任意に設定することが可能である。
【００７０】
サーバ５は、電子ペン１０から記入情報を取得する間隔を算出し、当該間隔が所定時間以上の空白時間を特定する。間隔の算出方法としては、サーバ５が記入情報取得時刻を記憶しておく方法、記入情報に含まれる一体化項目への記入時刻に基づく方法等任意の方法とすることができる。さらに、サーバ５は、特定した空白時間の直前の記入情報を特定する。そして、サーバ５は、特定した記入情報に含まれるストロークを１単位データの最終ストロークと特定する。もし、特定した記入情報に複数のストロークが含まれる場合には、記入時刻を示す時間情報に基づいて、当該記入情報に含まれるストロークのうち時系列的に最後に記入されたストロークを最終ストロークと特定する。
【００７１】
サーバ５は、このように空白時間に基づいて最終ストロークを特定すると、当該最終ストローク以前に送信された記入情報に含まれる全てのストロークを結合し、１単位データを作成・特定する。また、サーバ５は、最終ストロークより後に送信された記入情報に含まれる全てのストロークを結合し、１単位データを作成・特定する。これにより、サーバ５は、一体化項目である自署項目に複数のストロークが記入されることで、複数の記入情報を取得した場合であっても、空白時間に基づいて容易に１単位データを特定することができる。また、これにより、１単位データに基づいて、適切に所定の処理を行うことができる。
【００７２】
次に、図１２を参照し、別単位データに基づいて最終ストロークを特定する方法について詳しく説明する。なお、１人目の利用者（川上）が帳票３の１枚目に記入を行った後、２人目の利用者（田中）が帳票３の２枚目に記入を行うという流れは上述と同様であるため、便宜上説明を省略する。
【００７３】
ここで、本発明では、一体化項目である自署項目以外に記入したストロークを含む記入情報に注目する。１人目の利用者（川上）が帳票３の１枚目の記入を完了した後、２人目の利用者（田中）が帳票３の２枚目に記入をした場合、原則として２枚目に関する最初の記入情報には、自署項目以外の記入項目に記入したストロークが含まれているはずだからである。
【００７４】
なお、サーバ５は、詳細は後述するが、各項目の識別情報と、各項目に印刷されたドットパターン上の位置座標とを対応付けた座標テーブルを予め取得しているものとする。
【００７５】
サーバ５は、電子ペン１０から取得した記入情報と、予め取得している座標テーブルとに基づいて、利用者によりストロークが記入された項目を特定する。さらに、サーバ５は、一体化項目である自署項目以外に記入したストロークを含む記入情報を特定する。ここで、特定した記入情報は、別単位データである。そこで、サーバ５は、別単位データの直前の記入情報を特定する。そして、サーバ５は、特定した記入情報に含まれるストロークを１単位データの最終ストロークと特定する。特定した記入情報に複数のストロークが含まれる場合には、時間情報に基づいて、当該記入情報に含まれるストロークのうち時系列的に最後に記入されたストロークを最終ストロークと特定する。
【００７６】
サーバ５は、このように別単位データに基づいて最終ストロークを特定すると、当該最終ストローク以前に送信された記入情報に含まれる全てのストロークを結合し、１単位データを作成・特定する。また、サーバ５は、最終ストロークより後に送信された記入情報に含まれる全てのストロークを結合し、１単位データを作成・特定する。これにより、サーバ５は、一体化項目である自署項目に複数のストロークが記入されることで、複数の記入情報を取得した場合であっても、別単位データに基づいて容易に１単位データを作成し、特定することができる。また、これにより、１単位データに基づいて、適切に所定の処理を行うことができる。
【００７７】
なお、本実施形態では、図１２（ｂ）に示すように、自署項目以外、即ち記入項目に記入したストロークを含む記入情報は、１人目の利用者（川上）によるものと、２人目の利用者（田中）によるものが存在する。しかし、１人目の利用者（川上）による別単位データは直前のストロークが特定できないため、サーバ５は、２人目の利用者（田中）によるものに基づいて１つの単位のデータを特定する処理を行う。
【００７８】
また、本実施形態では、複数の利用者がそれぞれ帳票３に記入をする場合について説明しているが、本発明はこれに限定されるものではなく、１人の利用者が帳票３に記入する場合にも適用することができる。例えば、利用者が、１枚の帳票３上で記入項目及び一体化項目に記入を行った後、同一帳票３上で再度記入項目及び一体化項目に記入を行ったとする。この場合、サーバは、後半最初の送信内容を別単位データであると特定し、前半と後半２単位のデータであると特定する。
【００７９】
また、本実施形態では、図１１及び図１２に示すように、便宜上２人の利用者のみが帳票３に記入することとしているが、本発明はこれに限定されるものではなく、２人以上の利用者が帳票３に記入することとしてもよい。この場合であっても、サーバ５は、空白時間又は別単位データに基づいて、それぞれの単位データにおける最終ストロークを特定し、１単位データを特定することができる。
[サーバ]
（i）空白時間に基づくデータ処理を行うサーバ
次に、空白時間に基づくデータ処理を行うサーバ５ａについて詳しく説明する。図１３は、処理システム１００ａにおける、特にサーバ５ａの内部構成を示す。図示のように、サーバ５ａは、データ処理プログラム１０１、記入情報取得機能１０２、空白時間特定機能１０３、最終ストローク特定機能１０４、データ特定機能１０５及びデータ処理機能１０６を有する。なお、各機能は、サーバ５ａが有するＣＰＵが予め用意されたプログラムを実行することにより実現される。
【００８０】
データ処理プログラム１０１は、端末装置２５を介して電子ペン１０から取得した記入情報に基づいて、１単位データを特定し、所定の処理を行うプログラムである。
【００８１】
記入情報取得機能１０２は、データ処理プログラム１０１を実行することにより、利用者が電子ペン１０を使用して帳票３に記入した記入情報を取得する機能である。なお、記入情報取得機能１０２は、一体化項目に記入される度に記入情報を取得するため、サーバ５ａは複数の記入情報を取得することとなる。
【００８２】
空白時間特定機能１０３は、記入情報取得機能１０２が記入情報を取得する間隔を算出することにより、所定時間以上の空白時間を特定する機能である。
【００８３】
最終ストローク特定機能１０４は、空白時間特定機能１０３が特定した空白時間の直前の記入情報に含まれるストロークの中から最終ストロークを特定する機能である。
【００８４】
データ特定機能１０５は、最終ストローク特定機能１０４が特定した最終ストロークに基づいて、記入情報に含まれるストロークを結合することで、１単位データを作成し、特定する機能である。
【００８５】
データ処理機能１０６は、データ特定機能１０５が特定した１単位データに基づいて、所定の処理を行う機能である。
（ii）別単位データに基づくデータ処理を行うサーバ
次に、別単位データに基づくデータ処理を行うサーバ５ｂについて詳しく説明する。図１４は、処理システム１００ｂにおける、特にサーバ５ｂの内部構成を示す。図示のように、サーバ５ｂは、データ処理プログラム１１１、記入情報取得機能１１２、座標テーブル１１３、項目特定機能１１４、最終ストローク特定機能１１５、データ特定機能１１６及びデータ処理機能１１７を有する。なお、各機能は、サーバ５ｂが有するＣＰＵが予め用意されたプログラムを実行することにより実現される。
【００８６】
データ処理プログラム１１１は、端末装置２５を介して電子ペン１０から取得した記入情報に基づいて、１単位データを特定し、所定の処理を行うプログラムである。
【００８７】
記入情報取得機能１１２は、データ処理プログラム１１１を実行することにより、利用者が電子ペン１０を使用して帳票３に記入した記入情報を取得する機能である。なお、記入情報取得機能１１２は、一体化項目に記入される度に記入情報を取得するため、サーバ５ｂは、複数の記入情報を取得することとなる。
【００８８】
ここで、座標テーブル１１３について、図１５を参照して説明する。図１５は、座標テーブル１１３のデータ構造を模式的に示す図である。図示のように、座標テーブル１１３は、項目ＩＤ、項目名及び座標データから構成されている。項目ＩＤは、帳票３を構成する項目を識別する情報である。項目名は、各項目の名称である。例えば、氏名を記入する項目は氏名項目、住所を記入する項目は住所項目となる。座標データは、各項目に印刷されたドットパターン上の位置座標である。サーバ５ｂは、記入情報に基づいて、図示のような座標テーブル１１３を参照することにより、容易に利用者が記入したストロークがどの項目に記入されたかを特定することができる。
【００８９】
項目特定機能１１４は、記入情報取得機能１１２が取得した記入情報に基づいて座標テーブル１１３を参照することにより、記入情報に含まれる各ストロークが帳票３上のどの項目に記入されたものであるかを特定する機能である。
【００９０】
最終ストローク特定機能１１５は、一体化項目である自署項目以外に記入されたストロークを含む記入情報を別単位データであると特定する機能である。また、最終ストローク特定機能１１５は、別単位データの直前の記入情報に含まれるストロークの中から最終ストロークを特定する機能である。
【００９１】
データ特定機能１１６は、最終ストローク特定機能１１５が特定した最終ストロークに基づいて、記入情報に含まれるストロークを結合することで、１単位データを作成し、特定する機能である。
【００９２】
データ処理機能１１７は、データ特定機能１１６が特定した１単位データに基づいて、所定の処理を行う機能である。
【００９３】
[データ処理]
（i）第１データ処理
次に、上記の処理システム１００ａにより実行される第１データ処理について説明する。図１６は、第１データ処理のフローチャートである。
【００９４】
まず、１人目の利用者（川上）は、電子ペン１０を使用して帳票３の１枚目に、図１１（ａ）左側に示すような記入を行う。次に、２人目の利用者（田中）は、電子ペン１０を使用して帳票３の２枚目に、図１１（ａ）右側に示すような記入を行う。帳票３の自署項目は、記入エリア及び送信エリアが一体化された一体化項目であるため、電子ペン１０は、当該自署項目への記入の度に、記入情報を、端末装置２５を介してサーバ５ａへ送信する。
【００９５】
サーバ５ａは、電子ペン１０から端末装置２５を介して記入情報を取得する（ステップＳ１）。そして、サーバ５ａは、電子ペン１０から記入情報を取得する間隔を算出することにより、空白時間が特定できたか否かを判定する（ステップＳ２）。所定時間以上の空白時間が特定できない場合（ステップＳ２；Ｎｏ）、サーバ５ａは、当該記入情報を一時的に保存する。そして、サーバ５ａは、ステップＳ１及びＳ２の処理を繰り返し行う。一方、所定時間以上の空白時間が特定できた場合（ステップＳ２；Ｙｅｓ）、サーバ５ａは、当該空白時間に基づいて最終ストロークを特定する（ステップＳ３）。具体的に、サーバ５ａは、空白時間の直前に取得した記入情報に含まれるストロークの中から最終ストロークを特定する。
【００９６】
さらに、サーバ５ａは、特定した最終ストロークに基づいて、記入情報に含まれるストロークを結合することで、１単位データを作成し、特定する（ステップＳ４）。具体的に、サーバ５ａは、最終ストローク以前に取得して、一時的に保存してある記入情報に含まれるストロークを結合することで、１単位データを作成し、特定する。そして、サーバ５ａは、特定した１単位データに基づいて、所定の処理を行う（ステップＳ５）。
【００９７】
このように、本発明によれば、送信ボックスを兼ねた一体化項目に複数のストロークが記入された場合であっても、所定時間以上の空白時間に基づいて１単位データを特定することで、複数の単位データを混在させることなく適切な処理を行うことができる。
【００９８】
（ii）第２データ処理
次に、上記の処理システム１００ｂにより実行される第２データ処理について説明する。図１７は、第２データ処理のフローチャートである。
【００９９】
まず、１人目の利用者（川上）は、電子ペン１０を使用して帳票３の１枚目に、図１１（ａ）左側に示すような記入を行う。次に、２人目の利用者（田中）は、電子ペン１０を使用して帳票３の２枚目に、図１１（ａ）右側に示すような記入を行う。帳票３の自署項目は、記入エリア及び送信エリアが一体化された一体化項目であるため、電子ペン１０は、当該自署項目への記入の度に、記入情報を、端末装置２５を介してサーバ５ｂへ送信する。
【０１００】
サーバ５ｂは、電子ペン１０から端末装置２５を介して記入情報を取得する（ステップＳ１１）。そして、サーバ５ｂは、記入情報に基づいて座標テーブル１１３を参照することにより、各ストロークが記入された項目を特定する（ステップＳ１２）。このように、各ストロークが記入された項目を特定することで、サーバ５ｂは、取得した記入情報が、一体化項目である自署項目以外に記入したストロークを含む記入情報であるか否かを判定する（ステップＳ１３）。一体化項目以外に記入したストロークを含む記入情報でない場合（ステップＳ１３；Ｎｏ）、サーバ５ｂは、当該記入情報を一時的に保存する。そして、サーバ５ｂは、ステップＳ１１乃至Ｓ１３の処理を繰り返し行う。一方、一体化項目以外に記入したストロークを含む記入情報である場合（ステップＳ１３；Ｙｅｓ）、サーバ５ｂは、当該記入情報を別単位データと特定する。さらに、サーバ５ｂは、別単位データに基づいて最終ストロークを特定する（ステップＳ１４）。具体的に、サーバ５ｂは、別単位データの直前に取得した記入情報に含まれるストロークの中から最終ストロークを特定する。
【０１０１】
さらに、サーバ５ｂは、特定した最終ストロークに基づいて、記入情報に含まれるストロークを結合することで、１単位データを作成し、特定する（ステップＳ１５）。具体的に、サーバ５ｂは、最終ストローク以前に取得した、一時的に保存してある記入情報に含まれるストロークを結合することで、１単位データを作成し、特定する。そして、サーバ５ｂは、特定した１単位データに基づいて、所定の処理を行う（ステップＳ１６）。
【０１０２】
このように、本発明によれば、記入エリア及び送信エリアを一体化させた一体化項目を帳票３上に設けることで、利用者が送信アクションを意識することなく、通常通りに記入したタイミングでサーバ等へ記入情報を送信することが可能となる。さらに、これにより、利用者の誤操作や手間を大幅に削減することができる。
【０１０３】
また、本発明によれば、一体化項目に複数ストロークが記入されることにより１単位データが分割されてしまう場合であっても、空白時間又は別単位データを特定することにより、容易に１単位データを特定することができる。よって、複数の単位データを混同させることなく、１単位データに基づいて適切な処理を行うことができる。
【０１０４】
なお、電子ペン１０がバージョンアップし、インタラクティブペンとなる可能性がある。インタラクティブペンとは、どのドットパターン上に記入しても、常に電子ペン及び通信媒体間でデータの送信を行う仕様の電子ペンのことである。このようなインタラクティブペンにおいては、送信エリアという概念がなくなるが、データの送信が終了したか否かをアプリケーション側で判断することとなる。そこで、本発明を適用することにより、このようなインタラクティブペンであっても、容易にデータの送信が終了したか否かを判断することが可能となる。
【０１０５】
また、最終ストロークの特定において、空白時間に基づく方法と別単位データに基づく方法は併用することとしてもよい。
【０１０６】
また、本実施形態では、端末装置２５とサーバ５とは別々であって、ネットワーク２を介して接続されたものとしているが、本発明はこれに限定されるものではなく、それぞれの機能を備えた１つの端末装置であることとしてもよい。
【０１０７】
[変形例]
上記実施形態では、１枚の帳票３上に１つの一体化項目が設けられている例について説明したが、本発明はこれに限定されるものではなく、１枚の帳票３上に複数の一体化項目が設けられていることとしてもよい。さらに、一体化項目に基づいて、サーバ５ｃが特定した１単位データの処理方法を任意に設定することも可能である。換言すると、記入する一体化項目に応じて、１単位データの処理方法を変化させることも可能である。
【０１０８】
上述のような場合について、図１８乃至図２２を参照して詳しく説明する。なお、便宜上、上記実施形態と同様の場合、説明は省略する。
【０１０９】
図１８に示すように、処理システム１００ｃは、端末装置２５、サーバ５ｃ、脳神経外科端末７０ａ及び整形外科端末７０ｂがネットワーク２を通じて接続されることにより構成される。ここで、ネットワーク２の１つの好適な例はインターネットである。また、端末装置２５とは、利用者が使用するＰＣや携帯電話といったネットワーク２を介してデータの授受が可能な端末である。電子ペン１０により帳票６０に記入された記入内容は、記入情報として端末装置２５を介し、サーバ５ｃへ送信される。サーバ５ｃは、取得した記入情報に基づいて１単位データを特定する。さらに、サーバ５ｃは、ストロークが記入された一体化項目に応じて、各専門病院の窓口となる端末装置へ、特定した１単位データを振り分けて送信する。各専門病院の端末装置とは、例えば、脳神経外科専門病院が使用する脳神経外科端末７０ａや、整形外科専門病院が使用する整形外科端末７０ｂ等が挙げられる。なお、処理システム１００ｃでは、脳神経外科端末７０ａや整形外科端末７０ｂを構成要素としているが、本発明はこれに限定されるものではなく、任意の端末を構成要素とすることができる。各専門病院の端末は、サーバ５ｃから取得した１単位データに基づいて所定の処理を行う。
【０１１０】
ここで、処理システム１００ｃにおいて使用する帳票６０の例を図１９に示す。図１９（ａ）に示すように、帳票６０は、模式的に人体がデザインされており、当該人体の頭部を囲むように頭部項目６１が、当該人体の足部を囲むように足部項目６３が設けられている。頭部項目６１及び足部項目６３は、共に記入エリア及び送信エリアが一体化された一体化項目である。即ち、頭部項目６１又は足部項目６３に記入を行うと、電子ペン１０は、記入内容を認識すると同時に、当該記入内容に対応する記入情報をサーバ５ｃへ送信する。
【０１１１】
なお、図１９（ａ）に示す帳票６０は、説明の便宜上、項目として頭部項目６１及び足部項目６３のみを有することとしているが、本発明はこれに限定されるものではなく、手部項目や腹部項目等任意の項目を設けることができる。
【０１１２】
利用者である救急隊員等は、電子ペン１０を使用して患者の状態を帳票６０に記入する。具体的に、利用者は、電子ペン１０を使用して図１９（ｂ）に示すように、患者の負傷箇所をレ点等でチェックすると共に、当該患者の状態を文章で記入する。このとき、利用者は、患者の負傷箇所が頭部であれば、頭部項目６１内に当該患者の状態を記入する。また、足部にも負傷をしていれば、側部項目６３内に当該患者の状態を記入する。
【０１１３】
なお、本変形例における１単位データとは、１つの一体化項目内に記入されたデータの集合体であるものとする。
【０１１４】
次に、処理システム１００ｃにおいてデータ処理を行うサーバ５ｃについて詳しく説明する。図２０は、処理システム１００ｃにおける、特にサーバ５ｃの内部構成を示す。図示のように、サーバ５ｃは、データ処理プログラム１２１、記入情報取得機能１２２、座標テーブル１２３、項目特定機能１２４、最終ストローク特定機能１２５、送信先端末特定機能１２６、データ特定機能１２７及びデータ送信機能１２７を有する。なお、各機能は、サーバ５ｃが有するＣＰＵが予め用意されたプログラムを実行することにより実現される。
【０１１５】
データ処理プログラム１２１は、端末装置２５を介して電子ペン１０から取得した記入情報に基づいて、１単位データを特定するプログラムである。また、データ処理プログラム１２１は、ストロークが記入された一体化項目に応じた送信先端末に、特定した１単位データを送信するプログラムである。
【０１１６】
記入情報取得機能１２２は、データ処理プログラム１２１を実行することにより、利用者が電子ペン１０を使用して帳票３に記入した記入情報を取得する機能である。なお、記入情報取得機能１２２は、一体化項目に記入される度に記入情報を取得するため、サーバ５ｃは、複数の記入情報を取得することとなる。
【０１１７】
ここで、座標テーブル１２３について、図２１を参照して説明する。図２１は、座標テーブル１２３のデータ構造を模式的に示す図である。図示のように、座標テーブル１２３は、項目ＩＤ、項目名、座標データ及び送信先端末から構成されている。項目ＩＤは、帳票３を構成する項目を識別する情報である。項目名は、各項目の名称である。座標データは、各項目に印刷されたドットパターン上の位置座標である。送信先端末は、各項目に記入されたストロークに基づく１単位データを送信する送信先端末、即ち専門病院端末を示す情報である。
【０１１８】
サーバ５ｃは、記入情報に基づいて、図示のような座標テーブル１２３を参照することにより、容易に利用者が記入したストロークがどの項目に記入されたかを特定することが可能となる。また、サーバ５ｃは、最終ストロークが記入された項目に応じて、容易に送信先端末を特定することができる。
【０１１９】
項目特定機能１２４は、記入情報取得機能１２２が取得した記入情報に基づいて座標テーブル１２３を参照することにより、記入情報に含まれる各ストロークが帳票６０上のどの項目に記入されたものであるかを特定する機能である。
【０１２０】
最終ストローク特定機能１２５は、項目特定機能１２４が特定した項目の中の１つの一体化項目以外に記入したストロークを含む記入情報を別単位データであると特定する機能である。ここで、１つの一体化項目とは、帳票６０上に設けられた複数の一体化項目の中の１つであって、項目特定機能１２４が特定した項目である。具体的に、本変形例では、頭部項目６１等が挙げられる。この場合、最終ストローク特定機能１２５は、頭部項目６１以外に記入したストロークを含む記入情報を別単位データであると特定する。また、最終ストローク特定機能１２５は、別単位データの直前の記入情報に含まれるストロークの中から最終ストロークを特定する機能である。
【０１２１】
送信先端末特定機能１２６は、座標テーブル１２３に基づいて、最終ストローク特定機能１２５が特定した最終ストロークが記入された項目に対応する送信先端末を特定する機能である。
【０１２２】
データ特定機能１２７は、最終ストローク特定機能１２５が特定した最終ストロークに基づいて、記入情報に含まれるストロークを結合することで、１単位データを作成し、特定する機能である。
【０１２３】
データ送信機能１２８は、データ特定機能１２７が特定した１単位データを、送信先端末特定機能１２６が特定した送信先端末に送信する機能である。送信先端末は、サーバ５から取得した１単位データに基づいて所定の処理を行う。
【０１２４】
次に、上記の処理システム１００ｃにより実行される第３データ処理について説明する。図２２は、第３データ処理のフローチャートである。
【０１２５】
まず、利用者である救急隊員は、電子ペン１０を使用して帳票６０に、図１９（ｂ）に示すような記入を行う。帳票６０の頭部項目６１及び足部項目６２は、それぞれ一体化項目であるため、電子ペン１０は、当該一体化項目への記入の度に記入情報を、端末装置２５を介してサーバ５ｃへ送信する。
【０１２６】
サーバ５ｃは、電子ペン１０から端末装置２５を介して記入情報を取得する（ステップＳ２１）。そして、サーバ５ｃは、記入情報に基づいて座標テーブル１２３を参照することにより、各ストロークが記入された項目を特定する（ステップＳ２２）。さらに、サーバ５ｃは、取得した記入情報が、特定した項目の中の１つの一体化項目（例えば、頭部項目６１）以外に記入したストロークを含む記入情報であるか否かを判定する（ステップＳ２３）。頭部項目６１以外に記入したストロークを含む記入情報でない場合（ステップＳ２３；Ｎｏ）、サーバ５ｃは、当該記入情報を一時的に保存する。そして、サーバ５ｃは、ステップＳ２１乃至Ｓ２４の処理を繰り返し行う。一方、頭部項目６１以外（例えば、足部項目６３）に記入したストロークを含む記入情報である場合（ステップ２３；Ｙｅｓ）、サーバ５ｃは、当該記入情報を別単位データと特定する。さらに、サーバ５ｃは、別単位データに基づいて最終ストロークを特定する（ステップＳ２４）。具体的に、サーバ５ｃは、別単位データの直前に取得した記入情報に含まれるストロークの中から最終ストロークを特定する。
【０１２７】
そして、サーバ５ｃは、座標テーブル１２３を参照することにより、特定した最終ストロークが記入された項目に対応する送信先端末を特定する（ステップＳ２５）。さらに、サーバ５ｃは、特定した最終ストロークに基づいて、記入情報に含まれるストロークを結合することで、１単位データを作成し、特定する（ステップＳ２６）。具体的に、サーバ５ｃは、最終ストローク以前に取得した、一時的に保存してある記入情報に含まれるストロークを結合することで、１単位データを作成し、特定する。そして、サーバ５ｃは、特定した１単位データを、特定した送信先端末に送信する（ステップＳ２７）。これにより、第３データ処理は完了する。
【０１２８】
送信先端末では、例えば、取得した１単位データに基づいて応急処置の情報を作成し、利用者である救急隊員に通知する等といった所定の処理を行う。
【０１２９】
このように、本発明によれば、電子ペン用帳票上に記入エリア及び送信エリアが一体化されたユーザエリアを設けることで、電子ペン１０による記入、記入情報送信及び処理を行う場合、処理のランタイム時間を短縮することができる。また、ストロークが記入された項目に応じて、特定した１単位データに施す処理を任意に設定することが可能である。よって、人命を扱う医療業務といった緊急性を要す業務において、患者の負傷状況等を電子ペン用帳票に記入して処理を行う場合、特に本発明は有用である。
【０１３０】
なお、本変形例のように、１枚の帳票６０上に複数の一体化項目を設けるには、異なるライセンスのドットパターンを配置する必要がある。
【０１３１】
また、本変形例では、最終ストロークの特定について、別単位データに基づいて行うこととしているが、本発明はこれに限定されるものではなく、空白時間に基づいて行うこととしてもよい。空白時間に基づいて最終ストロークの特定及び１単位データの特定を行うこととすれば、例えば図１９（ａ）に示すような帳票６０において、頭部項目６１にのみ記入が行われた場合であっても、適切に最終ストロークを特定し、１単位データを特定することが可能となる。
【０１３２】
また、本変形例では、サーバ５ｃは、座標テーブル１２３に予め各項目に対応する送信先端末を定義することで、特定した１単位データをそれぞれ対応する送信先端末に送信し、各送信先端末が所定の処理を行うこととしている。しかし、本発明はこれに限定されるものではなく、座標テーブルに予め各項目に対応する処理に関する情報を定義することで、サーバ５が、特定した１単位データに対し、それぞれ対応する処理を施すこととしてもよい。
【０１３３】
また、本変形例では、サーバ５ｃが送信先端末を特定し、１単位データをそれぞれ対応する送信先端末に送信することとしているが、本発明はこれに限定されるものではなく、端末装置２５がサーバ５ｃの機能を有しており、送信先端末の特定及び１単位データの送信を行うこととしてもよい。
【０１３４】
また、最終ストロークの特定において、空白時間に基づく方法と別単位データに基づく方法を併用することとしてもよい。
【産業上の利用可能性】
【０１３５】
本発明によれば、記入エリアと送信エリアを一体化させることで、利用者に記入情報の送信アクションを意識させることなく、誤操作や手間を削減することができる電子ペン用帳票として利用することができる。
【図面の簡単な説明】
【０１３６】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】処理システムの概略構成を示す。
【図８】従来の帳票の例である。
【図９】本発明で使用する帳票の例である。
【図１０】自署項目の記入内容が複数の記入情報に分割されることを説明する図である。
【図１１】空白時間に基づく最終ストロークの特定を説明する図である。
【図１２】別単位データに基づく最終ストロークの特定を説明する図である。
【図１３】処理システム１００ａに含まれるサーバ５ａの機能ブロック図である。
【図１４】処理システム１００ｂに含まれるサーバ５ｂの機能ブロック図である。
【図１５】座標テーブルのデータ構造を模式的に示す図である。
【図１６】第１データ処理のフローチャートである。
【図１７】第２データ処理のフローチャートである。
【図１８】変形例における処理システム１００ｃの概略構成を示す。
【図１９】変形例における帳票の例である。
【図２０】処理システム１００ｃに含まれるサーバ５ｃの機能ブロック図である。
【図２１】変形例における座標テーブルのデータ構造を模式的に示す図である。
【図２２】第３データ処理のフローチャートである。
【符号の説明】
【０１３７】
２…ネットワーク
３…電子ペン用帳票
５…サーバ
１０…電子ペン
１１…プロセッサ
１２…メモリ
１３…データ通信ユニット
１４…バッテリー
２５…端末装置
２６…問い合わせサーバ
２７…サービスサーバ
１００…処理システム
【図１】
2007185788.tif 000003
【図２】
2007185788.tif 000004
【図３】
2007185788.tif 000005
【図４】
2007185788.tif 000006
【図５】
2007185788.tif 000007
【図６】
2007185788.tif 000008
【図７】
2007185788.tif 000009
【図８】
2007185788.tif 000010
【図９】
2007185788.tif 000011
【図１０】
2007185788.tif 000012
【図１１】
2007185788.tif 000013
【図１２】
2007185788.tif 000014
【図１３】
2007185788.tif 000015
【図１４】
2007185788.tif 000016
【図１５】
2007185788.tif 000017
【図１６】
2007185788.tif 000018
【図１７】
2007185788.tif 000019
【図１８】
2007185788.tif 000020
【図１９】
2007185788.tif 000021
【図２０】
2007185788.tif 000022
【図２１】
2007185788.tif 000023
【図２２】
2007185788.tif 000024